(57)【要約】【課題】本発明は、マルチキャストサービスのユーザセッションを終了する方法を提供する。【解決手段】上記方法は、マルチキャストサービス装置によるユーザセッションを終了する要求を開始し、上記要求は終了されたユーザセッションを識別するセッションＩＤを具備し、上記要求に具備されるセッションＩＤに対応するユーザセッションにより占有されたネットワーク資源を解放することを具備する。この発明はマルチキャストサービスのユーザセッションを終了するもう１つの方法と、マルチキャストサービス装置と、ユーザセッションを終了する装置と、マルチキャストサービスシステムも提供する。本発明は、ネットワークオペレータがマルチキャストサービスから未払いのユーザを除外することができないという現在の問題を解決する。それは、ネットワーク資源を浪費することも避け、前払いのユーザの現実の課金時間も導くことができる。【選択図】図１
2007013977.tif 000002
【特許請求の範囲】
【請求項１】
マルチキャストサービス装置によるユーザセッションを終了する要求を開始し、
上記要求は終了されるユーザセッションを識別するセッションＩＤを具備し、
上記要求に具備されるセッションＩＤに対応するユーザセッションにより占有されたネットワーク資源を解放することを特徴とするマルチキャストサービスのユーザセッションを終了する方法。
【請求項２】
ユーザセッションを終了する要求を開始する前に、
さらにそれぞれのユーザ端末において、ユーザ端末のユーザセッションを終了する終了条件を獲得し、終了条件が条件を満たすかどうかを決定し、もし条件を満たすならば、ユーザセッションを終了する要求を開始することを特徴とする上記請求項１に記載された方法。
【請求項３】
上記終了条件は、現在のサービス値が許容サービス値以上であることを特徴とする上記請求項２に記載された方法。
【請求項４】
上記許容サービス値の獲得は、
ユーザ端末からマルチキャストグループに参加するメッセージを受信すると同時に、受信されたメッセージからユーザＩＤを獲得し、記憶し、
獲得されたユーザＩＤを基にして上記ユーザ端末が予め支払われた加入者であることを確認し、オンライン課金システム（ＯＣＳ）からユーザ端末の許容サービス値を得ることを特徴とする上記請求項３に記載された方法。
【請求項５】
上記ＯＣＳからユーザ端末の許容サービス値を得ることは、
マルチキャストサービス装置によりクレジット制御要求（ＣＣＲ）メッセージをＯＣＳに送信し、上記ＣＣＲメッセージはユーザＩＤとマルチキャストサービス課金情報とを具備し、
上記ＯＣＳはユーザＩＤに基づいてユーザ端末の預金値限界を決定し、上記預金値限界と上記マルチキャストサービス課金情報に基づいて許容サービス値を計算し、上記許容サービス値をマルチキャストサービス装置に送信することを特徴とする上記請求項４に記載された方法。
【請求項６】
マルチキャストサービス課金情報はプログラム形式あるいはプログラム名であることを特徴とする上記請求項５に記載された方法。
【請求項７】
もし上記サービス値がユーザ端末に送信されたマルチキャストサービスキー（ＭＳＫ）の総量である場合、上記終了条件は、ユーザ端末に送信されたＭＳＫの現在の総量がユーザ端末に送信されることができるＭＳＫの最大総量以上であることであり、
もし上記サービス値がユーザ端末へのマルチキャストデータの送信期間である場合、上記終了条件は、ユーザ端末へのマルチキャストデータの現在の送信期間がユーザ端末へのマルチキャストデータの最大送信期間以上であることを特徴とする上記請求項３に記載された方法。
【請求項８】
もし上記サービス値がユーザ端末へ送信されたＭＳＫの総量であり、許容サービス値がユーザ端末へのマルチキャストデータの最大送信期間である場合、上記終了条件は、ユーザ端末へ送信されたＭＳＫの現在の総量がユーザ端末へのマルチキャストデータの最大送信期間から変換されたＭＳＫの最大総量以上であることを特徴とする上記請求項７に記載された方法。
【請求項９】
上記終了条件は、加入されたマルチキャストサービスのユーザ端末の時間制限を満了したことであることを特徴とする上記請求項２に記載された方法。
【請求項１０】
上記終了条件が、加入されたマルチキャストサービスのユーザ端末の時間制限を満了したことであることは、ユーザ端末へ送信されたＭＳＫの総量が、加入されたマルチキャストサービスの時間制限から変換されたユーザ端末へ送信されたＭＳＫの最大総量以上であることを具備することを特徴とする上記請求項９に記載された方法。
【請求項１１】
上記ユーザ端末により加入されたマルチキャストサービスの時間制限は、以下の段階を経ることにより獲得され、
上記段階は、ユーザ端末からマルチキャストグループに参加するためのメッセージを受信すると同時に、上記マルチキャストサービス装置は、ユーザ端末のユーザＩＤとユーザ端末による加入されたマルチキャストサービスの時間制限とを記録することであることを特徴とする上記請求項９に記載された方法。
【請求項１２】
上記終了条件は、オンラインコマンドシステムからユーザセッションを終了する要求のメッセージが受信されたことであることを特徴とする上記請求項２に記載された方法。
【請求項１３】
上記終了条件は、
現在のサービス値がユーザ端末の許容サービス値と等しいか、加入されたマルチキャストサービスの上記ユーザ端末の時間制限が満了したことか、あるいはオンラインコマンドシステムからユーザ端末のユーザセッションを終了する要求メッセージが受信されたことか、あるいはその時々の上記３つの組み合わせであり、
上記終了条件が条件を満たしているかどうかが決定されることは、もし終了条件に具備されるいずれかの状態を満たした場合に、終了条件を確認することが満たされることであることを特徴とする上記請求項２に記載された方法。
【請求項１４】
さらに上記マルチキャストサービス装置にユーザセッションを終了する要求に応答を返送することを特徴とする上記請求項１に記載の方法。
【請求項１５】
上記応答を受信すると同時に、マルチキャストサービス装置は、ネットワーク内に現在のマルチキャストサービスの他のユーザ端末が存在するかどうかを決定し、もし存在すれば、マルチキャストデータの送信を継続し、もし存在しなければ、送信を終了することをさらに具備することを特徴とする上記請求項１４に記載された方法。
【請求項１６】
上記ユーザセッションの終了の要求は、セッション取り止め要求（ＡＳＲ）か、再認識要求（ＲＡＲ）か、あるいはセッション終了要求（ＳＴＲ）のメッセージで運ばれ、
従って、マルチキャストサービス装置へ返送されたユーザセッションを終了する要求の応答がセッション取り止め応答（ＡＳＡ）か、再認識応答（ＲＡＡ）か、あるいはセッション終了応答（ＳＴＡ）のメッセージで運ばれることを特徴とする上記請求項１４に記載された方法。
【請求項１７】
上記マルチキャストサービス装置は、放送／マルチキャストサービスセンター（ＢＭ−ＳＣ）として示され、ネットワーク資源を解放する装置は、ゲートウェイジェネラルパッケージラジオサービス（ＧＰＲＳ）サポートノード（ＧＧＳＮ）として示されることを特徴とする上記請求項１に記載された方法。
【請求項１８】
上記ネットワーク資源を解放することは、ＧＧＳＮからの通知に基づいてネットワーク資源を解放するネットワーク本体として示されることを特徴とする上記請求項１７に記載された方法。
【請求項１９】
上記ネットワーク資源を解放するネットワーク本体は、サービングＧＰＲＳサポートノード（ＳＧＳＮ）であることを特徴とする上記請求項１８に記載された方法。
【請求項２０】
上記ネットワーク資源を解放するネットワーク本体は、ＳＧＳＮとして示されることを特徴とする上記請求項１に記載の方法。
【請求項２１】
ユーザ端末からマルチキャストサービス要求を受信すると同時に、ユーザ端末とマルチキャストサービス装置の間のマルチキャスト送信チャンネルを設定し、許容サービス値を獲得し、
マルチキャストサービス装置からユーザ端末へのマルチキャストサービス要求に対応するマルチキャストデータを送信し、現在のサービス値を動的に獲得し、
現在のサービス値と獲得された許容サービス値とを比較し、もし現在のサービス値が許容サービス値以上である場合に、現在の送信を終了することを特徴とするマルチキャストサービスのユーザセッションを終了する方法。
【請求項２２】
上記許容サービス値を獲得することは、
ユーザ端末からマルチキャストグループに参加するメッセージを受信すると同時に、上記マルチキャストサービス装置は受信されたメッセージからユーザＩＤを獲得し、上記ユーザＩＤを記録し、
上記ユーザＩＤに基づき、ユーザ端末は前払いされた加入者であることを確認した後、マルチキャストサービス装置は、オンライン課金システムからユーザ端末の許容サービス値を獲得することを具備することを特徴とする上記請求項２１に記載された方法。
【請求項２３】
上記マルチキャストサービス装置がオンライン課金システムからユーザ端末の許容サービス値を獲得することは、
マルチキャストサービス装置によりオンライン課金システムへクレジット制御要求（ＣＣＲ）メッセージを送信し、上記ＣＣＲメッセージは上記ユーザＩＤと上記マルチキャストサービス課金情報とを具備し、
オンライン課金システムは、ユーザＩＤに基づくユーザ端末のクレジット値制限を決定し、ユーザ端末のクレジット値制限とマルチキャストサービス課金情報とに基づき許容サービス値を計算し、マルチキャストサービス装置へ許容サービス値を送信することを特徴とする上記請求項２２に記載された方法。
【請求項２４】
もし上記サービス値がユーザ端末に送信されたＭＳＫの総量である場合、許容サービス値は、ユーザ端末へ送信されることができたＭＳＫの最大総量であり、
もしサービス値がユーザ端末へのマルチキャストデータ送信期間である場合、許容サービス値はユーザ端末へのマルチキャストデータの最大送信期間であることを特徴とする上記請求項２１に記載された方法。
【請求項２５】
もし上記サービス値がユーザ端末に送信されたＭＳＫの総量である場合、許容サービス値は、ユーザ端末へのマルチキャストデータの最大送信期間であり、
現在のサービス値は、ユーザ端末へ送信されたＭＳＫの現在の総量がユーザ端末へのマルチキャストデータの最大送信期間から変換されたＭＳＫの最大総量以上である許容サービス値と等しいことを特徴とする上記請求項２４に記載された方法。
【請求項２６】
現在の送信を終了することは、さらにマルチキャストサービス装置がユーザ端末のユーザセッションを終了する要求を開始することであることを特徴とする上記請求項２１に記載された方法。
【請求項２７】
ユーザセッションを終了する要求の応答をマルチキャストサービス装置に返送することをさらに備えることを特徴とする上記請求項２６に記載された方法。
【請求項２８】
上記ユーザセッションを終了する要求の応答を受信すると同時に、マルチキャストサービス装置は、ネットワーク内にマルチキャストサービスの他のユーザ端末が存在するかどうかを決定し、もし存在するならば、マルチキャストデータを送信し続け、そうでなければ、送信を終了することをさらに備えることを特徴とする上記請求項２７に記載された方法。
【請求項２９】
上記ユーザセッションを終了する要求は、セッション取り止め要求（ＡＳＲ）か、ＲＡＲか、あるいはＳＴＲのメッセージにより運ばれ、
従って、マルチキャストサービス装置に返送されるユーザセッションを終了する要求の応答は、セッション取り止め応答（ＡＳＡ）か、ＲＡＡか、あるいはＳＴＡにより運ばれることを特徴とする上記請求項２７に記載された方法。
【請求項３０】
マルチキャストサービス装置は、放送／マルチキャストサービスセンター（ＢＭ−ＳＣ）として示され、ネットワーク資源を解放する装置は、ゲートウェイＧＰＲＳサポートノード（ＧＧＳＮ）として示されることを特徴とする上記請求項２１に記載された方法。
【請求項３１】
上記ネットワーク資源を解放することは、ＧＧＳＮの通知に基づいてネットワーク資源を解放するネットワーク本体として示されることを特徴とする上記請求項３０に記載された方法。
【請求項３２】
上記ネットワーク本体は、サービングＧＰＲＳサポートノード（ＳＧＳＮ）であることを特徴とする上記請求項３１に記載された方法。
【請求項３３】
上記ネットワーク資源を解放するネットワーク本体は、ＳＧＳＮとして示されることを特徴とする上記請求項２１に記載された方法。
【請求項３４】
セッション終了条件を決定するユニットと、セッション終了を開始するユニットとを備え、
上記セッション終了条件を決定するユニットは、ユーザ端末がユーザセッションのその終了条件を満足したかどうかを決定し、もしユーザセッションの終了条件が満足された場合、セッション終了の指示をセッション終了を開始するユニットに出力し、
上記セッション終了を開始するユニットは、上記セッション終了の指示を受信するとき、セッションＩＤを具備するユーザセッションを終了する要求を開始することを特徴とするマルチキャストサービス装置。
【請求項３５】
それぞれのユーザ端末で、それぞれのユーザ端末の設定情報を受信し、ユーザセッションの終了条件を生成し、ユーザセッションの終了条件をセッション終了条件を決定するユニットに設定する設定ユニットをさらに備えることを特徴とする上記請求項３４に記載された装置。
【請求項３６】
上記装置は、ＢＭ−ＳＣとして示されることを特徴とする上記請求項３４あるいは３５に記載された装置。
【請求項３７】
要求を受信するユニットと、セッションを終了するユニットとを備え、
上記要求を受信するユニットは、セッションＩＤを具備するユーザセッションを終了する要求を受信し、セッションを終了するユニットにセッションＩＤを具備する指示を出力し、
上記セッションを終了するユニットは、上記要求を受信するユニットから指示を受信し、上記指示に具備された上記セッションＩＤに対応する占有されたネットワーク資源を解放することを特徴とするユーザセッションを終了する装置。
【請求項３８】
上記装置は、ＧＧＳＮとして示されることを特徴とする上記請求項３７に記載された装置。
【請求項３９】
マルチキャストサービス装置と、ユーザ端末とを備え、上記マルチキャストサービス装置は、それぞれのユーザ端末でユーザセッションを構成し、マルチキャストデータをユーザ端末に送信し、さらに、ユーザセッションを終了する装置を備え、
それぞれのユーザ端末において、上記マルチキャストサービス装置は、上記ユーザ端末がユーザセッションのその終了条件を満足したかどうかを決定し、もしユーザセッションの終了条件が満足された場合に、ユーザセッションを終了する要求をセッションＩＤを具備するユーザセッションを終了する装置に送信し、
上記ユーザセッションを終了する装置は、マルチキャストサービス装置からユーザセッションを終了する要求を受信し、上記要求に具備されたセッションＩＤに対応する占有されたネットワーク資源を解放することを特徴とするマルチキャストサービスシステム。
【請求項４０】
上記マルチキャストサービス装置は、ＢＭ−ＳＣとして示され、ユーザセッションを終了する装置は、ＧＧＳＮとして示されることを特徴とする上記請求項３９に記載されたシステム。
【発明の詳細な説明】
【技術分野】
【０００１】
本発明は、マルチキャスト技術分野に係わり、さらに詳しくはマルチキャストサービスのユーザセッションを終了する方法、マルチキャストサービス装置、ユーザセッションを終了する装置、マルチキャストサービスシステムに関する。
【背景技術】
【０００２】
無線通信の分野において、マルチキャストサービスは、単一情報源本体からデータが複数の受取人に送信される、１地点から多地点（point-to-multipoint）への単方向のベアラサービスであり、すなわち、データを送信する装置は複数の受取人のために同時に提供している。マルチキャストモードにおいて、同じデータを複数の受取人に送信することは、ネットワークチャンネルが共有されるようにし、それゆえネットワークの利用効率を向上させる。しかしながら、ユニキャストサービスは１地点から１地点(point-to-point)へのサービスであり、１つのデータ送信装置は１つの個別の受信装置だけに提供する。
【０００３】
図１は、マルチメディア放送／マルチキャストサービス（Multimedia Broadcast /Multicast Service：ＭＢＭＳ）をサポートする無線ネットワークの構成図を示す。既存の３ＧＰＰと、３ＧＰＰ２において、放送マルチキャストサービスセンタ（Broadcast/Multicast Service Center：ＢＭ−ＳＣ）１０１は、ＭＢＭＳをサポートするためのものである。図１において、ＢＭ−ＳＣ１０１は、コンテンツプロバイダ／マルチキャスト放送源に接続し、それはＧｍｂインターフェースやＧｉインターフェースを介して転送量平坦化機能／ゲートウェイジェネラルパッケージラジオサポートノード（Traffic Plane Function／Gateway General Package Radio Service Support Node：ＴＰＦ／ＧＧＳＮ）１０２に接続する。１つのＢＭ−ＳＣ１０１は、複数のＴＰＦ／ＧＧＳＮ１０２に接続する可能性がある。ＴＰＦ／ＧＧＳＮ１０２は、Ｇｎ／Ｇｐインターフェースを介してサービングＧＰＲＳサポートノード（Serving ＧＰＲＳ Support Node：ＳＧＳＮ）１０３に接続する。１つのＴＰＦ／ＧＧＳＮ１０２は、複数のＳＧＳＮ１０３に接続する可能性がある。ＳＧＳＮ１０３は、Ｉｕインターフェースを介して全世界移動電気通信システム地上アクセス網（Universal Mobile Telecommunication System（ＵＭＴＳ）Terrestrial Access Network：ＵＴＲＡＮ）１０４に接続する。ＵＴＲＡＮ１０４は、ユーザ装置（ＵＥ）１０６にＵｕインターフェースを介して接続する。上記ＳＧＳＮ１０３も、Ｉｕ／Ｇｂインターフェースを介してＧＳＭエンハンスデータレートＧＳＭラジオアクセス網（ＧＳＭ Enhanced Data rate for ＧＳＭ Evolution（ＥＤＧＥ）Radio Access Network（ＧＥＲＡＮ）１０５に接続する可能性がある。ＧＥＲＡＮ１０５は、Ｕｍインターフェースを介してＵＥ１０７に接続する。上記ＧＧＳＮとＳＧＳＮは、無線ネットワークのコアネットワーク（ＣＮ）のノードである。
【０００４】
既存のＭＢＭＳでユーザセッションを開始し、終了する方法は以下の通りである。
受信装置がマルチキャストデータを受信する必要があるとき、それはマルチキャストデータを送信する装置に登録する。受信装置がもはやマルチキャストデータを受信したくなければ、それは撤退過程、すなわちＭＢＭＳマルチキャスト非活性化をマルチキャストデータを送信する装置に開始する。一度ＭＢＭＳマルチキャスト非活性化過程が完了すれば、マルチキャストデータを送信する装置は、マルチキャストデータを受信装置に送信するのを止める。全ての受信装置が非活性化された後、マルチキャストデータを送信する装置はマルチキャストデータを送信するのを止める。
【０００５】
さらに、加入を取り消されたか、あるいは未払いのユーザが、マルチキャストサービスグループで、マルチキャストサービスを楽しむことを防止するために、それぞれ現実のマルチキャストサービスは、グループのユーザとマルチキャストサービスプロバイダのみに知られ、グループ外のユーザにはキーの情報に対する権利を与えないＭＢＭＳサービスキー（ＭＳＫ）が割り当てられる。共有ＭＳＫは、直接マルチキャストデータを暗号化するのではなく、制御にアクセスし、ＭＢＭＳ送信キー（ＭＴＫ）を生成し、ＭＴＫを暗号化するものである。マルチキャストサービスプロバイダは、マルチキャストデータを暗号化するために、ＭＴＫを使用する。対応するグループのユーザは、マルチキャストデータのコンテンツを獲得するように、受信されたマルチキャストデータを解読するために同じ共有ＭＴＫを使用する。グループ外のユーザは共有ＭＴＫを持っていないので、彼らはマルチキャストデータのコンテンツを獲得することができない。また、上記マルチキャストサービスプロバイダは、情報の安全性を保証するために、定期的にグループのそれぞれのユーザに更新されたＭＳＫを送信する。
【０００６】
もしグループのユーザがマルチキャストデータを受信するのを止めることを希望する場合には、ＭＢＭＳマルチキャスト非活性化のためのメッセージをマルチキャストサービスプロバイダに送信する。一度マルチキャストサービスプロバイダがそのメッセージを受信すれば、それはＭＳＫを送信するのを止める。このため、上記ユーザは正しいＭＳＫをもはや持たず、かつ受信されたマルチキャストデータを解読することができない。それによりユーザがマルチキャストデータを受信するのを止めるオブジェクトを実現する。ここでは、マルチキャストサービスプロバイダは、通常例えばＢＭ−ＳＣのようにマルチキャストデータを送信する装置を示す。
【０００７】
上記過程から、どの方法がユーザセッションを終了するのに適していても、それは常にユーザセッションを終了するためにＭＢＭＳマルチキャスト非活性化の過程を開始するユーザであることが分かる。
【０００８】
さらに、マルチキャストモードでは、ネットワークはユーザセッションを終了する過程を開始することもできる。しかしながら、ネットワークにより開始されたユーザセッションを終了する過程は、単一のユーザのためのものではなく、グループユーザのためのものである。
【発明の開示】
【発明が解決しようとする課題】
【０００９】
本発明は、マルチキャストサービスのユーザセッションを終了する方法、装置、システムを提供する。本発明は、以下の通りに実行される。
【００１０】
本発明は、マルチキャストサービス装置によりユーザセッションを終了する要求を開始し、上記要求は終了されるユーザセッションを識別するセッションＩＤを具備し、要求に具備されたセッションＩＤに対応するユーザセッションに占有されたネットワーク資源を解放することを特徴とするマルチキャストサービスのユーザセッションを終了する方法を提供する。
【００１１】
上記解決手段において、ユーザセッションを終了する要求を開始する前に、上記方法はさらにそれぞれのユーザ端末において、ユーザ端末のユーザセッションを終了する終了条件を獲得し、終了条件が条件を満たすかどうか決定し、もし条件を満たすならば、ユーザセッションを終了する要求を開始する構成とする。
【００１２】
上記解決手段において、上記終了条件は、現在のサービス値が許容サービス値以上であるものとする。
【００１３】
上記解決手段において、上記サービス値がユーザ端末に送信されたマルチキャストサービスキー（ＭＳＫ）の総量である場合、終了条件は、ユーザ端末に送信されたＭＳＫの現在の総量がユーザ端末に送信されることが可能なＭＳＫの最大総量以上であることであり、そして、もし上記サービス値がユーザ端末へのマルチキャストデータの送信期間である場合、上記終了条件は、ユーザ端末へのマルチキャストデータの現在の送信期間がユーザ端末へのマルチキャストデータの最大送信期間以上であるものとする。
【００１４】
上記解決手段において、もし上記サービス値がユーザ端末へ送信されたＭＳＫの総量であり、許容サービス値がユーザ端末へのマルチキャストデータの最大送信期間である場合、上記終了条件は、ユーザ端末へ送信されたＭＳＫの現在の総量がユーザ端末へのマルチキャストデータの最大送信期間から変換されたＭＳＫの最大総量以上であるものとする。
【００１５】
上記解決手段において、上記終了条件は、加入されたマルチキャストサービスのユーザ端末の時間制限が満了したものとする。
【００１６】
上記解決手段において、上記終了条件が加入されたマルチキャストサービスのユーザ端末の時間制限を満了したことであることは、ユーザ端末へ送信されたＭＳＫの総量は、加入されたマルチキャストサービスの時間制限から変換されたユーザ端末へ送信されたＭＳＫの最大総量以上であるものとする。
【００１７】
上記解決手段において、上記終了条件は、オンラインコマンドシステムからユーザセッションを終了する要求のメッセージが受信されたことであるものとする。
【００１８】
上記解決手段において、上記終了条件は、現在のサービス値がユーザ端末の許容サービス値以上であることか、加入されたマルチキャストサービスの上記ユーザ端末の時間制限が満了したことか、あるいはオンラインコマンドシステムからユーザ端末のユーザセッションを終了する要求のメッセージが受信されたことか、あるいはその時々の上記３つの組み合わせであることを具備し、終了条件が条件を満たしているかどうかが決定されることは、もし終了条件に具備されるいずれかの状態を満たした場合に、終了条件を確認することが満たされることを具備するものとする。
【００１９】
本発明は、ユーザ端末からマルチキャストサービス要求を受信すると同時に、ユーザ端末とマルチキャストサービス装置の間のマルチキャスト送信チャンネルを設定し、許容サービス値を獲得し、マルチキャストサービス装置からユーザ端末へのマルチキャストサービス要求に対応するマルチキャストデータを送信し、現在のマルチキャストサービス値を動的に獲得し、現在のサービス値と獲得された許容サービス値とを比較し、もし現在のサービス値が許容サービス値以上である場合に、現在の送信を終了することを特徴とするマルチキャストサービスのユーザセッションを終了するもう１つの方法も提供する。
【００２０】
本発明により、セッション終了条件を決定するユニットと、セッション終了を開始するユニットとを備え、上記セッション終了条件を決定するユニットは、ユーザ端末がユーザセッションのその終了条件を満足したかどうかを決定し、もしユーザセッションの終了条件が満足された場合、セッション終了の指示をセッション終了を開始するユニットに出力し、上記セッション終了を開始するユニットは、上記セッション終了の指示を受信するとき、セッションＩＤを具備するユーザセッションを終了する要求を開始するためのものであることを特徴とするマルチキャストサービス装置が提供される。
【００２１】
上記解決手段において、それぞれのユーザ端末の設定情報を受信し、それぞれのユーザ端末において、ユーザセッションの終了条件を生成し、セッション終了条件を決定するユニットに、ユーザセッションの終了条件を設定する設定手段をさらに備えるものとする。
【００２２】
本発明により、要求を受信するユニットと、セッションを終了するユニットとを備え、上記要求を受信するユニットは、セッションＩＤを具備するユーザセッションを終了する要求を受信し、セッションを終了するユニットにセッションＩＤを具備する指示を出力し、上記セッションを終了するユニットは、上記要求を受信するユニットから指示を受信し、上記指示に具備された上記セッションＩＤに対応する占有されたネットワーク資源を解放することを特徴とするユーザセッションを終了する装置が提供される。
【００２３】
本発明は、マルチキャストサービス装置と、ユーザ装置とを備え、上記マルチキャストサービス装置は、それぞれのユーザ端末でユーザセッションを構成し、マルチキャストデータをユーザ端末に送信し、さらに、ユーザセッションを終了する装置を備え、それぞれのユーザ端末において、上記マルチキャストサービス装置は、上記ユーザ端末がユーザセッションのその終了条件を満足したかどうかを決定し、もしユーザセッションの終了条件が満足された場合に、ユーザセッションを終了する要求をセッションＩＤを具備するユーザセッションを終了する装置に送信し、上記ユーザセッションを終了する装置は、マルチキャストサービス装置からユーザセッションを終了する要求を受信し、上記要求に具備されたセッションＩＤに対応する占有されたネットワーク資源を解放することを特徴とするマルチキャストサービスシステムも提供する。
【００２４】
本発明のキーは、マルチキャストサービス装置がマルチキャストサービス装置によりユーザセッションを終了する要求を開始し、上記要求は、終了されるユーザセッションを識別するセッションＩＤを具備し、次いで、要求に具備されたセッションＩＤに対応するユーザセッションに占有されたネットワーク資源が開放される。
【発明を実施するための最良の形態】
【００２５】
図面と典型的な実施形態を参照して、本発明は以下のように詳細に説明される。
図２は、本発明の実施形態によるＢＭ−ＳＣによりユーザセッションを終了する過程を開始するフローチャートを示す。実施形態は、インターネットプロトコルバージョン４（ＩＰｖ４）に基づいて実行される。そして、本実施形態において、マルチキャストグループに加わる要求を開始するユーザ装置（ＵＥ）は前払いユーザであり、デフォルトパケットデータプロトコル（ＰＤＰ）コンテクストと対応するＧＧＳＮは、ＧＧＳＮ１を示し、実際に要求されたＭＢＭＳサービスを提供するＧＧＳＮは、ＧＧＳＮ２を示す。実際には、ＧＧＳＮ１とＧＧＳＮ２は、同じＧＧＳＮあるいは異なるＧＧＳＮｓとなる可能性がある。
【００２６】
ステップ２０１〜２０２：通常、ＵＥがＭＢＭＳマルチキャストサービスを活性化させる必要があるとき、それはネットワークと相互に作用し、ネットワークにＰＤＰコンテクスト活性化メッセージを送信することを具備するＰＤＰコンテクストを確立しなければならない。次いで、確立されたＰＤＰコンテクストを介して、現在のＵＥは、例えばＩＧＭＰ参加メッセージのような、マルチキャストグループに参加するメッセージをＧＧＳＮ１に送信する。マルチキャストグループに参加するこのメッセージでは、ユーザにより要求されたサービス形式とそれによるユーザＩＤは、ＩＰマルチキャストアドレスにより識別される。
【００２７】
ステップ２０３：上記ＵＥからマルチキャストグループに参加するためにメッセージを受信すると同時に、ＧＧＳＮ１はＢＭ−ＳＣに証明と認証要求（Authentication and Authorization Request：ＡＡＲ）メッセージを送信する。ＡＡＲメッセージはユーザＩＤと、セッションＩＤと、要求されたサービスタイプを具備し、上記セッションＩＤはマルチキャストグループに参加する要求を開始するＵＥのためのものである。
【００２８】
ステップ２０４：一度ＡＡＲメッセージが認証されれば、ＢＭ−ＳＣは、受信されたＡＡＲメッセージからマルチキャストグループに参加する要求を開始するＵＥのセッションＩＤを獲得し、記録し、ＡＡＲメッセージからユーザＩＤも獲得し、獲得されたユーザＩＤに基づくＵＥの加入情報を確認する。次いで、ＵＥの加入情報とサービス形式に従い、ＢＭ−ＳＣは、ＵＥが前払いのユーザ端末であることを決定する。その後、ＢＭ−ＳＣは、オンライン課金システム（Online Charging System：ＯＣＳ）に、開始されたクレジット制御要求（Credit Control Request：ＣＣＲ）メッセージを送信する。上記ＣＣＲメッセージは、ＵＥのユーザＩＤ、マルチキャストサービスの課金情報、例えば料金時間などの課金開始の情報を具備し、マルチキャストサービスの課金情報は、プログラム形式やプログラム名を具備し、そして課金開始の情報は、ＯＣＳに料金値を課金することを要求するためのものである。
【００２９】
ステップ２０５：上記ＯＣＳは、受信されたＣＣＲメッセージからＵＥのユーザＩＤを獲得し、課金の時間制限の指示とＵＥのユーザＩＤに基づいて、ＵＥのユーザ料金制限を決定する。ＵＥのユーザ料金制限とマルチキャスト課金情報に基づいて、ＯＣＳは、ＵＥの許容サービス値を計算し、クレジット制御応答（Credit Control Answer：ＣＣＡ）メッセージを介して、ＢＭ−ＳＣに許容サービス値を返答する。許容サービス値が、ユーザセッションを終了する状態として使用される。
サービス値は、ＢＭ−ＳＣによりＵＥに送信されたＭＳＫの総量、あるいはＢＭ−ＳＣがマルチキャストデータを送信する期間である可能性がある。
【００３０】
ステップ２０６：ＢＭ−ＳＣは受信された許容サービス値を保存し、証明と認証応答（Authentication and Authorization Answer：ＡＡＡ）メッセージをＧＧＳＮ１に返送する。それは、本発明の典型的な実施形態の認証に成功した応答メッセージである。
【００３１】
ステップ２０７〜２１０：ＧＧＳＮ１は、ＳＧＳＮにＭＢＭＳ通知要求を送信する。ＳＧＳＮは、ＭＢＭＳ通知応答をＧＧＳＮ１に返送する。応答は、ＭＢＭＳ  ＵＥコンテクストがうまく活性化されたかどうかを示す理由値も具備する。ＳＧＳＮは、ＵＥにＭＢＭＳコンテクスト活性化要求メッセージを送信する。上記メッセージは、ＵＥにＭＢＭＳ  ＵＥコンテクストを活性化する要求をするためのものである。ＭＢＭＳ  ＵＥコンテクストを確立した後、実際に要求されたＭＢＭＳサービスを提供できるＧＧＳＮを確認するＳＧＳＮに、ＵＥはＭＢＭＳコンテクスト活性化要求を送信する。確認されたＧＧＳＮは、本発明の典型的な実施形態のＧＧＳＮ２として示される。
【００３２】
ステップ２１１〜２１５：ＳＧＳＮは、ＭＢＭＳ  ＵＥコンテクストを確立し、実際に要求されたＭＢＭＳサービスを提供するできるＧＧＳＮであるＧＧＳＮ２に、ＭＢＭＳコンテクスト生成要求を送信する。ＧＧＳＮ２は、ＢＭ−ＳＣにＭＢＭＳ  ＡＡ要求を送信し、ＵＥのために認証を求める。認証結果は、ＢＭ−ＳＣからＭＢＭＳ  ＡＡ応答で提供される。ＧＧＳＮ２は、ＭＢＭＳ  ＵＥコンテクストを生成し、ＳＧＳＮにＭＢＭＳコンテクスト生成応答を送信する。ＳＧＳＮは、ＭＢＭＳ負荷容量を具備するＭＢＭＳコンテクスト活性化許可メッセージをＵＥに送信する。
このときに、ＢＭ−ＳＣは、マルチキャストサービスを開始する。
【００３３】
ステップ２１６：マルチキャストデータを送信する過程の間、ＢＭ−ＳＣはマルチキャストデータを受信するそれぞれのＵＥのサービス値をモニタし、その現在のサービス値が許容サービス値以上かどうか、すなわち終了条件が条件を満たすかどうかを決定する。もし条件を満たすならば、ＢＭ−ＳＣはＵＥの現在のユーザセッションを終了し、これには、ＧＧＳＮ１にユーザセッションを終了する要求、すなわち、対応するセッションを終了するようにＧＧＳＮ１に指示するために終了条件を満足するＵＥにより使用されるセッションＩＤを具備するセッション取り止め要求メッセージ、を送信することを具備する。もし条件を満たさなければ、ＢＭ−ＳＣは、マルチキャストデータを送信し続ける。
【００３４】
もしサービス値がＢＭ−ＳＣによりＵＥに送信されたＭＳＫの総量である場合、上記終了条件は、ＵＥに送信されたＭＳＫの現在の総量が、ＢＭ−ＳＣがＵＥに送信できる獲得されたＭＳＫの最大総量以上であるということであり、ＵＥの現在のサービス値が許容サービス値以上かどうかを決定する過程は、以下のように、ＵＥに送信された現在のＭＳＫの総量が獲得されたＭＳＫの最大総量以上であるかどうかを決定する。もしそうであれば、ＢＭ−ＳＣは、ＧＧＳＮ１にそのユーザセッションを終了する要求を送信する。
【００３５】
もしサービス値がマルチキャストデータを送信する期間である場合、上記終了条件はマルチキャストデータを送信する獲得された最大期間が満了したことであり、ＵＥの現在のサービス値が許容サービス値以上であるかどうかを決定する過程は以下に示すように、マルチキャストデータを送信する期間が満了したかどうかを決定する。
【００３６】
ＵＥにマルチキャストデータを送信する期間が、ＵＥに送信されたＭＳＫの総量に関連があるので、もしサービス値がＢＭ−ＳＣによりＵＥに送信されるＭＳＫの総量であるならば、獲得された許容サービス値はマルチキャストデータを送信する最大期間である可能性がある。ここで、上記終了条件はＵＥに送信されたＭＳＫの現在の総量がマルチキャストデータを送信する獲得された最大期間から変換されたＭＳＫの最大総量以上であるということであるので、ＵＥの現在のサービス値が許容サービス値以上かどうか決定する過程は、以下のように、まず最初にマルチキャストデータを送信する獲得された最大期間に基づいて、送信されることができるＭＳＫの最大総量を計算し、次いで、ＵＥに送信されたＭＳＫの現在の総量が、計算されたＭＳＫの最大総量とすでに等しいかどうかが決定される。
もし上記終了条件が満たされるならば、上記ＢＭ−ＳＣはＵＥにＭＳＫを送信するのを止める。こうして、ＵＥは、もはや受信されたマルチキャストデータを解読するために、効果的にそのＵＥのユーザセッションを終了するＭＳＫを獲得することができない。
【００３７】
ステップ２１７：ユーザセッションを終了するための要求を受信した後、要求に具備されたセッションＩＤに基づいて、ＧＧＳＮ１は対応するユーザセッションを見つけ、ユーザセッションに対応する資源を解放し、ユーザセッションを終了する要求の応答をＢＭ−ＳＣに返送する。
ユーザセッションを終了する要求と上記ステップ２１６とステップ２１７のその応答は、それぞれ、セッション取り止め要求（Abort Session Request：ＡＳＲ）とセッション取り止め応答（Abort Session Answer：ＡＳＡ）か、あるいは再認識要求（Re Auth Request：ＲＡＲ）と再認識応答（Re Auth Answer：ＲＡＡ）か、あるいはセッション終了要求（Session Termination Request：ＳＴＲ）とセッション終了応答（Session Termination Answer：ＳＴＡ）のメッセージにより運ばれる。
【００３８】
ステップ２１８〜２２４：ＧＧＳＮ１は、ＳＧＳＮに終了条件を満たすＵＥのＭＢＭＳ  ＵＥコンテクスト非活性化要求を送信する。上記要求は、ＵＥのユーザＩＤを具備する。ＭＢＭＳ  ＵＥコンテクスト非活性化応答をＧＧＳＮ１に返送した後、ＳＧＳＮもＵＥにＭＢＭＳコンテクスト非活性化要求を送信する。ＭＢＭＳ  ＵＥコンテクストを非活性化した後、ＵＥはＭＢＭＳコンテクスト非活性化応答をＳＧＳＮに返送する。ＳＧＳＮは、ＵＥが属するラジオアクセスネットワーク（Radio Access Network：ＲＡＮ）に、ＭＢＭＳ  ＵＥリンク解除要求を送信する。上記要求は、ＵＥのユーザＩＤを具備する。ＵＥにより占有された資源を解放した後、ＲＡＮはＭＢＭＳ  ＵＥリンク解除応答をＳＧＳＮに返送する。
【００３９】
ステップ２２５〜２２８：上記ＳＧＳＮは、ＧＧＳＮ２にＭＢＭＳコンテクスト削除要求を送信する。要求を受信した後、ＧＧＳＮ２はＢＭ−ＳＣに非活性化指示を送信する。ＭＢＭＳコンテクストが非活性化されたことを確認すると同時に、ＢＭ−ＳＣは非活性化確認をＧＧＳＮ２に返送し、そしてＧＧＳＮ２はＳＧＳＮにＭＢＭＳコンテクスト削除応答を返送する。
ネットワークがＵＥに占有された資源を解放した後、ＢＭ−ＳＣはＵＥのユーザセッションを終了するように、ＵＥへＭＳＫをもはや送信しない。もしこの段階で、ＢＭ−ＳＣが更新されたＭＳＫを要求しているＵＥからメッセージを受信する場合、ＢＭ−ＳＣはＵＥのセッションＩＤを見つけることができないので、それはＵＥにＭＳＫを送信することを拒否する。更に、もしＢＭ−ＳＣが、現在のネットワークにマルチキャストデータを受信しているＵＥが存在しないと決定する場合、すなわち、ユーザセッションを終了したＵＥが、マルチキャストサービスを使用している最後のＵＥである場合、ＢＭ−ＳＣはネットワーク資源を節約するためにマルチキャストデータを送信するのを止める。
【００４０】
ステップ２２９〜２３０：ＢＭ−ＳＣは、オンライン課金システム（Online Charging System：ＯＣＳ）に、最後のクレジット制御要求（Credit Control Request：ＣＣＲ）メッセージを送信する。上記ＣＣＲメッセージは、ＵＥのＩＤ、マルチキャストサービス課金情報、及び課金終了を示す課金終了情報を具備する。マルチキャストサービス課金情報はプログラム形式あるいはプログラム名を具備する。課金の終了を確認し、かつＵＥの請求の実時間を導きだすと同時に、上記ＯＣＳはクレジット制御返答メッセージをＢＭ−ＳＣに返送する。
それゆえ、上記ネットワークは単一のＵＥのユーザセッションの終了を開始することができ、さらに実時間を課金することを達成することができる。
【００４１】
さらに、ネットワークが単一のＵＥのユーザセッションの終了を開始するもう１つの方法は、以下の通りである。マルチキャストグループに参加するＵＥからメッセージを受信した後、ＢＭ−ＳＣは、ユーザＩＤと加入されたマルチキャストサービスの時間制限を記録する。次いで、マルチキャストサービスの時間制限がＵＥの終了条件が満足されたかどうかを決定することに使用される。上記マルチキャストサービスの時間制限は、サービスが生成される、又はＯＣＳから獲得される、あるいは現在のユーザとサービスの身元に基づき他のネットワーク本体から獲得されるときに、ＢＭ−ＳＣに設定される。マルチキャストデータを送信する間に、ＢＭ−ＳＣはＵＥの上記時間制限が満了されたかどうか、すなわち、終了条件が満たされたかどうかを決定する。もし条件が満たされれば、ＢＭ−ＳＣはＧＧＳＮにユーザセッションを終了する要求を送信する。上記要求は、ＵＥのセッションＩＤを具備する。要求を受信した後、ＧＧＳＮはセッションＩＤに対応するＵＥに占有された資源を解放し、ＢＭ−ＳＣにユーザセッションを終了する要求の応答を返送する。もしそうでなければ、ＢＭ−ＳＣはマルチキャストデータを送信することを続ける。もちろん、マルチキャストサービスの時間制限は、マルチキャストデータを送信する最大期間、あるいはマルチキャストデータを送信する期間から変換されるＵＥから送信されたＭＳＫの最大総量であることができる。同時に現在のネットワークがマルチキャストデータを受信するユーザ端末をもはや有さないことをＢＭ−ＳＣが決定したとき、ＢＭ−ＳＣはマルチキャストデータの送信を止める。ユーザセッションを終了する要求とその応答は、それぞれＡＳＲとＡＳＡ、あるいはＲＡＲとＲＡＡ、あるいはＳＴＲとＳＴＡのメッセージにより運ばれる。
【００４２】
単一のＵＥのユーザセッションの終了を開始するネットワークのもう一つの方法は、以下の通りである。マルチキャストデータを送信するＢＭ−ＳＣの過程において、ＢＭ−ＳＣがオペレーションサポートシステム（Operation Support System：ＯＳＳ）のオンラインコマンドシステムから特別なＵＥのセッションＩＤを具備するＵＥのユーザセッションを終了する要求メッセージを受信するとき、ＢＭ−ＳＣはＵＥのセッションＩＤを具備するＧＧＳＮにユーザセッションを終了する要求を送信する。要求を受信した後、ＧＧＳＮはセッションＩＤに対応するＵＥに占有された資源を解放し、ＢＭ−ＳＣにユーザセッションを終了する要求の応答を返送する。それゆえ、ネットワークは、特別なＵＥのユーザセッションの終了を開始できる。この方法によれば、ＯＳＳから単一のＵＥのユーザセッションを終了する要求メッセージを受信したことが、終了条件である。終了条件が満足されたかどうかを決定する手順は、ＯＳＳからＵＥのユーザセッションを終了する要求メッセージを受信したかどうかを決定することである。同時にＢＭ−ＳＣがマルチキャストデータを受信するユーザ端末がもはや存在しないことを確認した後、マルチキャストデータを送信するのを止める。ユーザセッションを終了する要求とその応答も、それぞれＡＳＲとＡＳＡ、またはＲＡＲとＲＡＡ、またはＳＴＲとＳＴＡのメッセージにより運ぶことができる。
【００４３】
決定の状態の上記３種類は、それ自体単体であるいはそれらの２つあるいは３つのいずれかの組み合わせにより使用することができる。３つの状態は、ユーザ端末の現在のサービス値が獲得されたその許容サービス値以上であること、あるいはユーザ端末の加入されたマルチキャストサービスの時間制限が満了されること、あるいはＯＳＳから単一のＵＥにユーザセッションを終了する要求のメッセージを受信すること、あるいは上記３つのそれぞれの組み合わせを具備する。複数の状態が一緒に使用されたとき、終了条件はそれらの２つあるいは３つのいずれかを具備する。このとき終了条件が満足されたかどうかを決定することは、以下のように、終了条件を具備するそれぞれの条件を同時に決定し、もし終了条件に具備されたいずれかの条件が満足された場合、完全に終了条件が満足したことを決定し、もし終了条件に具備された条件が満足されていない場合、完全に終了条件が満足されていないことを決定する。それは、ＢＭ−ＳＣが１つの条件が満足しさえすれば、単一のＵＥのユーザセッションを終了する要求を送信しうる。
【００４４】
例えば、ＯＣＳからＢＭ−ＳＣにより獲得された許容サービス値は、ＵＥへのマルチキャストデータを送信する最大期間であり、最大期間は１０分である。しかしながら、ＢＭ−ＳＣはマルチキャストサービス加入情報に基づいて、ＵＥの時間制限が３０分であることを獲得した。ＵＥへのマルチキャストデータを送信する期間が特定の時間、すなわち許容サービス値と等しい１０分であることを検出したとき、ＢＭ−ＳＣはＵＥのセッションＩＤを具備するＵＥのためのユーザセッションを終了する要求をＧＧＳＮに送信し、それからネットワークの特別のユーザセッションの終了を開始することを指示する。
【００４５】
もう一つの例において、ＢＭ−ＳＣによりＯＣＳから獲得された許容サービス値は、ＵＥへのマルチキャストデータの最大送信期間であり、最大期間は１０分である。ＢＭ−ＳＣによるＵＥへのマルチキャストデータの送信期間が３分であるとき、ＢＭ−ＳＣはＯＳＳから特別のＵＥのユーザセッションを終了する要求のメッセージを受信する。この場合、ネットワークが特別のＵＥのユーザセッションの終了を開始することができるように、ＢＭ−ＳＣはＧＧＳＮにＵＥのユーザセッションを終了する要求をすぐに送信する。
本発明による方法に基づき、この発明は、マルチキャストにサービス装置を提供し、この装置は、セッション終了条件を決定するユニットと、セッション終了を開始するユニットとを具備する。
【００４６】
セッション終了条件を決定するためのユニットは、ユーザ端末がユーザセッションのその終了条件を満たしたかを決定するものであり、もしユーザセッションの終了条件が満足された場合、セッション終了を開始するユニットにセッション終了の指示を出力する。そして、セッション終了を開始するユニットは、ユーザセッションを終了する要求を受信する装置が要求に対応するユーザセッションを終了でき、対応するユーザターミナルの資源を解放できるように、セッション終了の指示を受信したときに、セッションＩＤを具備するユーザセッションを終了する要求を開始するためのものである。
【００４７】
ユーザセッションの終了条件の動的な設定を実行するために、マルチキャストサービス装置は、設定情報を受信し、それぞれのユーザ端末のために、ユーザセッションの終了条件を生成し、セッション終了条件を決定するユニットに設定する設定ユニットをさらに具備しうる。そのためユーザセッションのそれぞれのユーザ端末の終了条件は、実際の環境に従って動的に設定されることができる。ここで、マルチキャストサービス装置は、通常ＢＭ−ＳＣを示す。
【００４８】
本発明によれば、要求を受信するユニットとセッションを終了するユニットを備えるユーザセッションを終了する装置も提供される。
【００４９】
要求を受信するユニットは、セッションＩＤを具備するユーザセッションを終了する要求を受信し、セッションを終了するユニットにセッションＩＤを具備する指示を出力するものである。そして、セッションを終了するユニットは、要求を受信するユニットから指示を受信し、指示に具備されるセッションＩＤに対応する占有されたネットワーク資源を解放するものである。ユーザセッションを終了する装置は、通常ＧＧＳＮとして示される。
【００５０】
上述したマルチキャストサービス装置と、ユーザセッションを終了する装置と、ユーザ端末とは、マルチキャストサービスシステムを構成しうる。このマルチキャストサービスシステムにおいて、マルチキャストサービス装置は、それぞれのユーザ端末でユーザセッションを構成し、マルチキャストデータをユーザ端末に送信するものである。そして、それぞれのユーザ端末において、マルチキャストサービス装置は、ユーザ端末がユーザセッションのその終了条件を満足したかどうかを決定し、そして、ユーザセッションの終了条件が満足された場合に、セッションＩＤを具備するユーザセッションを終了する装置にユーザセッションを終了する要求を送信し、そしてユーザセッションを終了する装置は、マルチキャストサービス装置からユーザセッションを終了する要求を受信し、要求に具備されたセッションＩＤに対応する占有されたネットワーク資源を解放するものである。
【００５１】
要約すると、上述の例は、単に本発明の範囲を限定しない発明の好ましい実施形態である。
【図面の簡単な説明】
【００５２】
【図１】マルチメディア放送マルチキャストサービス（ＭＢＭＳ）をサポートする無線ネットワークの構成図を示す。
【図２】本発明の一実施形態によるＢＭ−ＳＣによりユーザセッションを終了する過程を開始するフローチャートを示す。
【符号の説明】
【００５３】
１０１  ＢＭ−ＳＣ
１０２  ＴＰＦ／ＧＧＳＮ
１０３  ＳＧＳＮ
１０４  ＵＴＲＡＮ
１０５  ＧＥＲＡＮ
１０６  ＵＥ
１０７  ＵＥ
【図１】
2007013977.tif 000003
【図２】
2007013977.tif 000004
【外国語明細書】
2007013977.tif 000005
2007013977.tif 000006
2007013977.tif 000007
2007013977.tif 000008
2007013977.tif 000009
2007013977.tif 000010
2007013977.tif 000011
2007013977.tif 000012
2007013977.tif 000013
2007013977.tif 000014
2007013977.tif 000015
2007013977.tif 000016
2007013977.tif 000017
2007013977.tif 000018
2007013977.tif 000019
2007013977.tif 000020
2007013977.tif 000021
2007013977.tif 000022
2007013977.tif 000023
2007013977.tif 000024
2007013977.tif 000025
2007013977.tif 000026
2007013977.tif 000027
2007013977.tif 000028
2007013977.tif 000029